(57)【特許請求の範囲】
【請求項１】
時計（１）の時打ち機構のためのゴング（３、３’）であって、前記ゴング（３、３’）は、直線部（３ａ、３ａ’）及び前記直線部（３ａ、３ａ’）に接続した曲線部（３ｂ、３ｂ’）を含むワイヤ又は条片の形態である、ゴング（３、３’）において、
前記ゴングは、既定の形状点において、前記ゴングの長さ部の一部分の上に少なくとも２つの切欠き（５ａ、５ｂ）又は中空又は溝を含み、１ｋＨｚから５ｋＨｚの間の可聴範囲内の少なくとも２つの自然振動周波数に適合するようにすること、及び前記２つの周波数の間の比率は、数Ｎ＋ｄであり、但し、Ｎは２よりも大きいかそれに等しい整数であり、ｄ／Ｎは、−０．０１から＋０．０１の間を含み、振動する前記ゴングが生成する音が調和音であるようにすることを特徴とする、ゴング（３、３’）。
【請求項２】
前記２つの切欠き（５ａ、５ｂ）又は中空又は溝は、前記直線部（３ａ、３ａ’）内に作製することを特徴とする、請求項１に記載のゴング（３、３’）。
【請求項３】
前記少なくとも２つの切欠き（５ａ、５ｂ）又は中空又は溝は、前記曲線部（３ｂ、３ｂ’）内に作製することを特徴とする、請求項１に記載のゴング（３、３’）。
【請求項４】
前記少なくとも２つの切欠き（５ａ、５ｂ）又は中空又は溝は、前記直線部（３ａ）内に作製すること、及び前記少なくとも３つの切欠き（５ｃ、５ｄ、５ｅ）又は中空又は溝は、円形形状の前記曲線部（３ｂ）内に作製し、少なくとも２つの自然振動周波数を１ｋＨｚから５ｋＨｚまでの前記可聴範囲内で調整して所望の音符又は音を得るようにすることを特徴とする、請求項１に記載のゴング（３、３’）。
【請求項５】
前記１つの切欠き（５ａ’）又は中空又は溝は、前記直線部（３ａ’）内に作製すること、及び前記２つの切欠き（５ｂ’、５ｃ’）又は中空又は溝は、前記曲線部（３ｂ’）内に作製することを特徴とする、請求項１に記載のゴング（３、３’）。
【請求項６】
前記各切欠き（５ａ、５ｂ、５ｃ、５ｄ、５ｅ、５ａ’、５ｂ’、５ｃ’）又は溝は、前記ゴング（３、３’）の幅全体にわたって作製することを特徴とする、請求項１から５のうちいずれか一項に記載のゴング（３、３’）。
【請求項７】
前記ゴングの２つの端部は、前記時打ち機構の単一のゴング支持体（２）への取付けを意図すること、及び前記直線部（３ａ）及び前記曲線部（３ｂ）を有する前記ゴングは、アルファベット文字の形態を取り、修正部分（３ｃ）は、前記曲線部（３ｂ）の中央部分内に画定することを特徴とする、請求項１から６のうちいずれか一項に記載のゴング（３、３’）。
【請求項８】
前記各切欠き（５ａ、５ｂ、５ｃ、５ｄ、５ｅ、５ａ’、５ｂ’、５ｃ’）は、モード形の唯一の形状の腹のうちの１つと対応して、前記ゴングの長さ部上に置き、前記ゴングの周波数は、１ｋＨｚから２０ｋＨｚの間を含むことを特徴とする、請求項１に記載のゴング（３、３’）。
【請求項９】
前記ゴングの厚さは、前記ゴングの全長にわたって同一であること、及び前記ゴングの全体厚さ部内の各切欠き（５ａ、５ｂ、５ｃ、５ｄ、５ｅ、５ａ’、５ｂ’、５ｃ’）又は中空又は溝の深さは、同一であることを特徴とする、請求項１から８のうちいずれか一項に記載のゴング（３、３’）。
【請求項１０】
請求項１から９のうちいずれか一項に記載の少なくとも１つのゴング（３、３’）を備える時打ち機構を含む時打ち時計（１）であって、前記時打ち機構は、前記ゴング（３、３’）を接続する少なくとも１つのゴング支持体（２）、及び少なくとも１つのハンマ（４、４’）を含み、前記少なくとも１つのハンマ（４、４’）は、決定した瞬間で、前記ゴングを含む平面に実質的に直交する垂直方向で下から前記ゴングを打つことができ、前記ゴング支持体（２）は、板と一体であるか、又は中板（８）若しくはガラス縁若しくは時計裏蓋の内壁と接触して配設する、時打ち時計（１）。
【請求項１１】
前記ゴング支持体（２）は、中板（８）又はガラス縁又は時計裏蓋の内壁と接触して取り付けること、前記ゴング（３、３’）の前記直線部（３ａ、３ａ’）の少なくとも一端、又は前記曲線部（３ｂ、３ｂ’）の少なくとも一端は、前記ゴング支持体に取り付けること、及び前記ゴング（３、３’）の少なくとも上側面は、前記時計（１）のガラスを通じて見え、前記切欠き（５ａ、５ｂ、５ｃ、５ｄ、５ｅ、５ａ’、５ｂ’、５ｃ’）又は中空又は溝は、前記ゴングの下面に作製することを特徴とする、請求項１０に記載の時打ち時計。
【請求項１２】
前記時打ち機構は、第１のハンマ（４）が下から打つことができる第１のゴング（３）、及び第２のハンマ（４’）が下から打つことができる第２のゴング（３’）を含むこと、前記第１のゴング（３）は、少なくとも１つのゴング支持体（２）に取り付けた２つの端部を有すること、前記第２のゴング（３’）は、同じ前記ゴング支持体（２）又は第２のゴング支持体（２’）に取り付けた前記直線部（３ａ’）の一端又は前記曲線部（３ｂ’）の一端を有し、前記ゴング支持体（２）又は前記第２のゴング支持体（２’）は、前記中板（８）の内壁と接触して配設することを特徴とする、請求項１０に記載の時打ち時計（１）。
【請求項１３】
前記第１のゴング（３）及び前記第２のゴング（３’）は、前記ゴング支持体（２）との一体部品を形成すること、前記第１のゴング（３）の前記直線部（３ａ）は、前記第２のゴング（３’）の前記直線部（３ａ’）に平行に配設し、前記第２のゴング（３’）の端部は、前記ゴング支持体（２）に取り付けること、並びに前記２つのゴング（３、３’）は、前記各ゴングの下面に作製した前記切欠き（５ａ、５ｂ、５ｃ、５ｄ、５ｅ、５ａ’、５ｂ’、５ｃ’）又は中空又は溝と同じ平面に配設することを特徴とする、請求項１２に記載の時打ち時計（１）。
【請求項１４】
前記第１のゴング（３）は、少なくとも２つの前記切欠き（５ａ、５ｂ）又は溝を前記直線部（３ａ）内に含み、少なくとも３つの前記切欠き（５ｃ、５ｄ、５ｅ）を前記曲線部（３ｂ）内に含むこと、及び前記第２のゴング（３’）は、少なくとも１つの前記切欠き（５ａ’）又は溝を前記直線部（３ａ’）内に含み、少なくとも２つの前記切欠き（５ｂ’、５ｃ’）を前記曲線部（３ｂ’）内に含むことを特徴とする、請求項１３に記載の時打ち時計（１）。
【請求項１５】
時計（１）の時打ち機構のための、請求項１から９のうちいずれか一項に記載の少なくとも１つのゴング（３、３’）を製造する方法であって、前記方法は、
−前記ゴングが振動する際に選択標的値に近い自然周波数を生成するため、各部品を他方から個別に寸法決定することによって、前記ゴング（３、３’）の前記直線部（３ａ、３ａ’）の有効長さ及び前記曲線部（３ｂ、３ｂ’）の有効長さを決定するステップ、
−前記振動するゴングから調和音を生成するために、既定の形状点で、前記ゴングの長さ部の上に前記ゴング（３、３’）の下面に切欠き（５ａ、５ｂ、５ｃ、５ｄ、５ｅ、５ａ’、５ｂ’、５ｃ’）又は中空又は溝を形成することによって、前記ゴング（３、３’）の前記自然周波数を厳密にするステップ
を含むことを特徴とする、方法。
【請求項１６】
前記切欠き（５ａ、５ｂ、５ｃ、５ｄ、５ｅ、５ａ’、５ｂ’、５ｃ’）又は中空又は溝は、フライス加工によって、前記ゴングの幅全体にわたり、前記ゴングの全体厚さ部内に作製することを特徴とする、請求項１５に記載の少なくとも１つのゴング（３、３’）を製造する方法。
【請求項１７】
前記方法は、文字形状の構造を画定するように、前記ゴングの前記曲線部（３ｂ）の形状を中央部分の上で修正することにある、別のステップを含むことを特徴とする、請求項１５に記載の少なくとも１つのゴング（３、３’）を製造する方法。
【発明の詳細な説明】
【技術分野】
【０００１】
本発明は、時計時打ち機構のための非定型形状ゴングに関する。
【０００２】
本発明は、少なくとも１つの非定型形状ゴングを備える時打ち機構を有する時計にも関する。
【０００３】
本発明は、時計時打ち機構のための非定型形状ゴングを作製する方法にも関する。
【背景技術】
【０００４】
時計製造の分野では、ミニッツ・リピーター等の時打ち機構を備えるムーブメントを作製するために、従来の構造を使用している。そのような実施形態では、使用する１つ又は複数のゴングはそれぞれ、金属ワイヤによって形成し、この金属ワイヤは、通常、円形形状であり、時計文字盤と平行な平面に置かれる。各ゴングの金属ワイヤは、一般に、ムーブメントの周囲で、時計フレーム内部の、ムーブメントの様々な部品を組み付ける板の上に配置する。各ゴングの１つ又は複数の端部は、例えばはんだ付けによって、板と一体であるゴング支持体に固定し、このゴング支持体は、例えば全てのゴングに共通であってもよい。各ゴングのもう一方の端部は、一般に、自由であってもよい。
【０００５】
時計時打ち機構は、所定の時間で作動する少なくとも１つのハンマも含む。ゴングの振動は、対応するハンマの衝撃によって、ゴングの上で、ゴング支持体の近傍で生成される。各ハンマは、一般に、ゴング（複数可）の平面において部分回転を行い、対応するゴングを打ち、ゴングをその平面、即ち時計の裏蓋又は文字盤に平行なＸ−Ｙ平面内で振動させるようにする。ゴングの振動の一部は、ゴング支持体によって板にも伝達される。
【０００６】
時計ムーブメントの周囲にある円弧形状のゴングの従来の構成では、ハンマを打った後、音をより純粋又はより調和させることは容易ではなく、このことは、欠点とみなされることが多い。
【０００７】
ミニッツ・リピーター時計では、振動・音響の広がりを改善するため、第１に、機構からのノイズを、調節要素を介して制限すること、第２に、異なる外部要素を介して音量を増大させるといったことが想定可能である。しかし、外部時計部品によって広げられる振動を生成するゴングを最適化することは、想定されていないことが多い。
【０００８】
上記のように、ゴングは、一般に、円弧形状を取り、時計ムーブメントの周り、又は上記時計ムーブメントの上に配設する。振動周波数は、ゴングの寸法、即ち、ゴングの長さ及び断面、並びにゴングを構成する材料に従って適合させる。
【０００９】
しかし、各振動ゴングの固有の周波数は、振動するゴングが作る調和音が互いに調整状態にないため、適切に制御されていない。したがって、対応するハンマが打つと、時打ち機構の１つ又は複数のゴングは、何らかの不協和音、したがって不調和音を伴った音を生成し、このことは、欠点とみなされる。
【００１０】
チタン又はチタン合金製の少なくとも１つのゴングを有する計時器時打ちデバイスを開示しているスイス国特許出願第７０８０３６Ａ２号をこの点について引用することができる。２つの振動するゴングを設けることができ、これらのゴングは、対応するハンマによってそれぞれ打たれる。ゴングのうち１つは、規定の位置で、ゴングの長さ部にわたっていくつかの貫通孔又は非貫通中空を含み、所望の音楽の高さ及び音の継続時間を得るようにする。ゴングは、円形部分として構成する。しかし、ゴングの寸法に従って可聴範囲内で調和音及び十分な数の部分音を得るための、各ゴングのいくつかの主な振動周波数の調整については記載されておらず、このことは、欠点とみなされる。
【００１１】
米国特許第３，０１３，４６０号は、いくつかの数の条片を有する音楽コームを開示しており、条片は、全てかかと部分で一体に接続されている。コームは、かかと部分の上部にあるカバー板内の開口を貫通し、かかと部分の開口を貫通するねじによって、板の上に固定することができる。ある厚さをもつ条片は、回転輪によって調節され、この回転輪は、かかと部分から、各条片の一部分を越えて移動し、音楽コームのメロディを調節することができる。板のカバーは、各条片の機械加工部分を隠すように働く。しかし、調和音を得るための各条片のいくつかの主な振動周波数の調整については、記載されておらず、このことは、欠点とみなされる。
【００１２】
米国特許第７，７４６，７３２Ｂ２号は、時打ちデバイスのためのゴングを開示している。このゴングは、ゴング支持体へのゴング取付け部と、ゴングの自由移動端部との間で、ゴングの全長に沿って増大する断面を有する又は断面が連続的に変化するように構成し、ゴングを打ったときに発せられる音の豊かさ及び質を高めるようにすることができる。上述の文献と同様に、調和音を得るために、どのようにゴングのいくつかの主な振動周波数を調整するかについては、記載されておらず、このことは、欠点とみなされる。
【先行技術文献】
【特許文献】
【００１３】
【特許文献１】スイス国特許出願第７０８０３６Ａ２号
【特許文献２】米国特許第３，０１３，４６０号
【特許文献３】米国特許第７，７４６，７３２Ｂ２号
【発明の概要】
【発明が解決しようとする課題】
【００１４】
したがって、調和音を伴うが不協和音を伴わずに可聴振動をより容易に生成するために、時計時打ち機構のための非定型形状ゴングを提供することによって、従来技術の欠点を克服することが本発明の目的である。
【課題を解決するための手段】
【００１５】
この目的で、本発明は、上記した時計時打ち機構のための非定型形状ゴングに関し、非定型形状ゴングは、独立請求項１で定義する特徴を含む。
【００１６】
ゴングの特定の実施形態は、従属請求項２から９で定義する。
【００１７】
本発明による時打ち機構のための非定型又は独特のゴングの１つの利点は、このゴングを協和・調和メロディの間隔を保証するように構成することにある。ゴングは、好ましくはゴングに沿って配置した切欠きである形状調整点を含む。ゴングは、規定の場所でその長さ部の上に作製した少なくとも２つの切欠きを含むことができる。好ましくは、ゴングを時計ケースの内部に組み付けた後、これらの切欠きは、時計ケースの外側からは見えない部分に作製される。
【００１８】
有利には、２つ以上の切欠きは、外側からは見えないゴングの一部の上に作製することができ、いくつかの周波数の微調節を可能にする。したがって、少なくとも２つの周波数、更には３又は４又はそれ以上の周波数を切欠きの数に応じて調節することができる。良好に規定した場所で、ゴングの長さ部の上に作製、配置した切欠きを用いると、通常のゴングよりも短い場合でさえ、振動するゴングの部分音の数を０から５ｋＨｚまでの可聴範囲内で増大させることが可能である。５ｋＨｚを上回る周波数は、強度、豊かさ及び明るさを音に加える。周波数は、手で、又は機械加工ロボットを用いて自動的に、これらの切欠きを作製することにより微調節が可能である。
【００１９】
有利には、主な振動周波数が互いに十分に調整した状態にあることを保証する上記ゴングを構成することが可能である。これらの周波数の調整は、西洋又は東洋又はアフリカの音楽コードに従って規定することができる。
【００２０】
有利には、ゴングは、少なくとも１つの直線部及び１つの曲線部を備えることができる。ゴングの少なくとも一端は、ゴング支持体に取り付けることを意図するが、ゴングの両端を同じゴング支持体に取り付けることが想定可能である。少なくとも１つの切欠きは、直線部の上に作製し、別の切欠きは、曲線部の上に作製する。更に、曲線部は、Ｂの文字を美しく表すように修正した一部分を有することができる。この美的外観は、ゴングが時計ガラスを通して時計ケースの外側から見える状況では、必要である場合がある。
【００２１】
この目的で、本発明は、独立請求項１０で定義する特徴を含む、時打ち機構を有する時計にも関する。
【００２２】
時計の特定の実施形態は、従属請求項１１から１４で定義する。
【００２３】
有利には、時計ケース内部に組み付けた、時打ち機構の非定型形状ゴングの構成の場合、時計の音量を可聴範囲内で改善することも可能である。したがって、外部部品に対する自然周波数のために、１つ又は複数のゴングの部分音を調整することが可能である。更に、切欠きをゴング内にもたらすことにより、製造する時計の全ての間でメロディ調整の均一性を保証する。
【００２４】
有利には、時打ち機構は、２つのゴングを備え、２つのゴングはそれぞれ、ゴング支持体に取り付けられ、互いから別々に調整され、それぞれが、時又は分を表示する特定の音を生成するようにする。各ゴングは、調和音を生成するように、その長さ部にわたって少なくとも２つの切欠きを有することができる。ゴングは、文字盤と平行に、時計ガラスの下に組み付けられ、時計ガラスを通して見えるようにする。したがって、ゴングの切欠きは、時計の外側からは見えない表面に作製する。
【００２５】
本発明は、時計時打ち機構のための少なくとも１つの非定型形状ゴングを製造する方法にも関し、方法は、独立請求項１５の特徴を含む。
【００２６】
ゴングの製造方法の特定のステップは、従属請求項１６及び１７で定義する。
【００２７】
時計時打ち機構のための非定型形状ゴングの目的、利点及び特徴、並びに時打ち機構を有する時計の目的、利点及び特徴は、具体的に図面を参照する以下の説明においてより明らかになるであろう。
【図面の簡単な説明】
【００２８】
【図１】本発明による、振動周波数を適合させた時打ち機構の非定型形状ゴングの一実施形態の上面図である。
【図２】図１に表した本発明によるゴングの一実施形態の上面図であり、ゴングは、美的観点から修正した部分を有する。
【図３】図２のゴング横断図であり、特に直線部分は、本発明による調和音を生成するいくつかの周波数のために微調整した切欠きを示す。
【図４】本発明による時打ち機構の一部を形成するゴングの一実施形態の底面図である。
【図５】時打ち機構を有する時計の３次元図であり、時打ち機構は、図２に示す本発明による少なくとも１つのゴングを含む。
【発明を実施するための形態】
【００２９】
以下の説明では、ハンマによって打つことを意図する少なくとも１つのゴングを含む時打ち機構を有する時計の、当技術分野で周知である全ての要素は、手短に説明するにすぎない。
【００３０】
図１は、通常、時計時打ち機構（図示せず）の一部を形成する非定型形状ゴング３の一実施形態を示す。ゴング３は、一定の長さ、幅及び厚さをもつワイヤ又は条片の形態を取る。ゴング３は、ゴング３を時打ち機構のハンマが打つ際に不協和音を伴わずに調和音を生成できるように構成し、そのように作製する。ゴング３は、例えば時計のガラスを通して見ることができるように、上面図で示す。ゴング３は、その端部の一方を時打ち機構のゴング支持体２に取り付けても、図示のように、両端をゴング支持体２に取り付けてもよい。ゴング３は、直線部３ａを備え、直線部３ａは、部分的に円形形状であり得る曲線部３ｂに接続する。図の破線は、直線部３ａと曲線部３ｂとの間の接続境界を示す。直線部３ａ及び曲線部３ｂは、好ましくは、組み付けた後に時計の文字盤と平行であり得る同じ平面内にある。
【００３１】
ゴング３は、成形又はワイヤ圧延若しくはワイヤ切断作業、又は機械加工デバイスによる金属材料板の打抜きによって得ることができる。ゴング３は、ゴング支持体２と一体に作製することができるが、溶接又ははんだ付けによって上記ゴング支持体２に固着させることもできる。好ましくは、ゴングは、長方形断面を有するが、円形であってもよい。好ましくは、この断面は、振動周波数の調節前、ゴングの長さ部全体を通じて同一である。ゴングは、非晶質金属又は金属ガラスから作製しても、金若しくは白金、更には真鍮、チタン、アルミニウム、又は同様の密度、ヤング率及び弾性限度を有する別の材料若しくは金属合金から作製してもよい。金属ガラスは、例えば、ジルコニウム、金、白金の基体、又は金パラジウム、白金及び銀、又は非晶質形態で固化し得る別の金属から作製することができる。
【００３２】
図２に示すように、ゴング３は、曲線部３ｂ上に作製した修正部分３ｃも備えることができる。この修正部分３ｃは、例えば、上から見るとＢの文字を表すように曲線部３ｂの中央部分上に作製する。このＢ字形状ゴングは、時計ケース内部に組み付けた後、時計のガラスを通して見ることができ、時計のブランドのシンボルを画定する。
【００３３】
直線部３ａ、曲線部３ｂ、及び可能性としては曲線部３ｂ上の修正部分３ｃを有する、この種類のゴング３の寸法決定は、３つの主な製造ステップで行われる。
【００３４】
第１のステップは、部品が、所望の調律のために選択した標的値に近い自然な周波数を生成できるように、互いに個別に、ゴングの有効長さを決定することにある。このことを達成するために、直線部３ａを単体で寸法決定し、曲線部３ｂも単体で寸法決定する。一緒に接合した２つの部品３ａ及び３ｂは、おおまかに寸法決定したゴング３をもたらす。２つの部品３ａ及び３ｂは、同じゴング支持体２に接続することができるが、直線部３ａのみをゴング支持体２に接続する、又は曲線部３ｂのみをゴング支持体２に接続することも可能である。
【００３５】
第２のステップは、所望の美的外観を有する特定の構造を画定するように、ゴングの形状をわずかに修正することにある。この特定の構造は、時計ブランドのシンボルを表すＢの字等の文字の形状とすることができる。この点について、前述のように、修正部分３ｃは、曲線部３ｂ上、例えば上記曲線部３ｂの中央部分の上に作製する。
【００３６】
最後に、第３のステップは、図３に示す切欠き５ａ、５ｂ、又は中空若しくは溝を作製することによって、ゴング３の自然周波数を厳密にすることにある。図３に示す切欠き５ａ及び５ｂは、直線部３ａ内に作製しているが、他の切欠き又は中空又は溝を曲線部３ｂ上に作製することもできる。これらの切欠き５ａ及び５ｂは、ゴングを時計ケース内部に組み付けた後、時計のガラスを通して直接見えないように、ゴング３の下面に作製する。
【００３７】
各切欠き５ａ、５ｂは、特にフライス加工によって、ゴングの厚さ部内に、ゴングの幅全体に対して一定の深さをもつ中空を画定するようにプログラムした機械加工ロボットにより機械加工する。第１の切欠き５ａ又は溝は、ゴングの直線部３ａの長さ部ｄ１にわたり、ゴングの全体厚さ部における既定の深さまで機械加工することができる。第２の切欠き５ｂは、ゴングの直線部３ａの長さ部ｄ２にわたり、ゴングの全体厚さ部における既定の深さまで機械加工することができる。２つの切欠きの深さは、好ましくは同じとすることができるが、２つの切欠きを、ゴングの全体厚さ部において異なる深さで作製するという想定が可能である。２つの切欠き５ａ、５ｂは、ゴング３の幅全体にわたって機械加工することができる。
【００３８】
切欠き５ａ、５ｂ又は中空又は溝は、ゴング３の局所剛性を低減することに留意されたい。また、ハンマが打った後のゴング３の振動期間を増大し、これによって外部からの衝撃に対する抵抗を減らすことはなく、有利である。図示のように、直線部３ａ内の第１の切欠き５ａは、ゴング支持体２の近くに作製する一方で、第２の切欠き５ｂは、直線部３ａと曲線部３ｂとの接続部の近くに作製する。切欠き５ａ、５ｂ又は中空又は溝は、ゴングの周波数を微細に調整し、形状点において、ゴングの一定の自然周波数の節及び／又は腹である所望の周波数を得ることを可能にする。
【００３９】
このことは、可聴範囲内で振動するゴングの部分音の数を著しく増大することを可能にし、これによってゴングのサイズ、即ちゴングの長さを修正することはない。その上、ゴングの振動が生成し時計の外部部品が広げる音を、メロディの点で純粋で豊かなものにすることができる。
【００４０】
ゴングを寸法決定するための従来の単純な従来技術の形状では、ゴングが生成する周波数の選択的な調整をすることができない。形状を修正すると、生成される周波数の全て、又はそのような周波数のほとんどに対し例えば１００Ｈｚを越える著しい全体的なドリフトを生じさせる。
【００４１】
そのようなゴングの寸法決定及び調整の非限定的な例として、ゴングを例えばＦシャープと同様の音符を生成するように構成する。この調性を複数周波数音内で生成するために、ゴング３は、以下の表に示すように、Ｆシャープ５の音に対応する少なくとも１４８０Ｈｚ、及びＦシャープ６の音に対応する２９６０Ｈｚに等しい自然周波数を有さなければならない。
【００４２】
当然、他の音符は、ゴング３の長さ、幅及び厚さ、音符を作るゴング３の形状及び材料に従って選択することができる。ゴング３の主な振動周波数は、西洋の音楽コード、即ちＣマイナー、Ｃメジャー、Ｄメジャー、Ｇメジャー等、又は東洋若しくはアフリカ音楽で互いに同調状態にあることを保証可能である。
【００４３】
図示しないが、ゴング３について、ゴングの直線部３ａの自然周波数及び曲線部３ｂの自然周波数のうちの１つのモード形及び周波数を規定することが可能である。このことは、２つの部品３ａ、３ｂの自由端において、モード形の連続性、即ち、一端に存在する節があるように、単純な支持境界条件で規定する。これら２つの部品３ａ、３ｂの形状は、これらの周波数が所望の周波数に近いように別々に最適化する。両方ともゴング支持体２に接続した直線部３ａ及び曲線部３ｂによって形成したゴング３の場合、直線部３ａのモード形は、２つの腹を有し得る一方で、曲線部３ｂのモード形は、３つの腹を有し得る。これらの条件では、切欠きは、ゴング３の各部品のモード形の各腹上に設けることができる。
【００４４】
上記した手順は、所望の周波数２９６０Ｈｚに近い別の自然周波数を得るために再現される。例として、以下の表は、図１による、修正部分及び切欠きを伴わないゴングの可聴範囲内の自然周波数、図２による、修正部分３ｃを伴うが切欠きを伴わないゴングの可聴範囲内の自然周波数、並びに図２及び図３による、修正部分３ｃ及び切欠き５ａ、５ｂを伴うゴングの可聴範囲内の自然周波数を設定している。
【００４５】
【表１】
0006293940.tif 000002
【００４６】
前述のように、切欠き又は中空又は溝は、ゴングの周波数を微調整し、所望の周波数を得ることを可能にする。所望の周波数は、上記の表では太字で記した周波数である。表の３番目の列で示すように、可聴範囲内、特に０から５ｋＨｚの間でゴングの部分音の数を著しく増加させることも得られる。というのは、音の調性は、この可聴範囲内の周波数成分によって決定されるためである。５ｋＨｚを超える周波数では、音の調性は、強度、豊かさ、及び明るさを音に加える。このことは、調和したメロディ音で、不協和音を伴わずにゴングを振動させることを可能にする。
【００４７】
図４は、時計の時打ち機構の一部を形成する２つのゴング３、３’の構成の一実施形態を示す。２つのゴング３、３’のみを下面図で表しており、それぞれのゴング支持体２、２’に取り付けるか、又は同じゴング支持体２に取り付ける。第１のゴング３は、上記の図１から図３を参照しながら説明したものであり、アワー・ゴングである。第２のゴング３’も、直線部３ａ’及び曲線部３ｂ’を含み、ミニッツ・ゴングである。第１のゴング３は、例えば、第２のゴング３’よりも長く作製する。
【００４８】
時打ち機構の２つのゴング３、３’の２つの直線部３ａ、３ａ’は、好ましくは、互いに平行に配置する。しかし、２つの直線部３ａ、３ａ’は、互いに対して特定の角度で配設してもよい。第１のゴング３の曲線部３ｂは、直線部３ａの自由端から第２のゴング３’の曲線部３ｂ’に反対方向で延在し、曲線部３ｂ’は、その直線部３ａ’の自由端から延在する。直線部３ａ、３ａ’及び曲線部３ｂ、３ｂ’は、好ましくは、以下で示すように、時計の文字盤と平行である同じ平面内に配設する。
【００４９】
第１のゴング３は、好ましくは両端をゴング支持体２に取り付ける一方で、第２のゴング３’は、直線部３ａ’の一端のみをゴング支持体２’に取り付ける。曲線部３ｂ’の一端である第２のゴング３’のもう一方の端部は、自由である。しかし、第２のゴング３’をその曲線部３ｂ’でゴング支持体２’に取り付け、直線部３ａ’の一端を自由にしておくという想定も可能である。
【００５０】
時計時打ち機構の２つのゴング３、３’のそのような構成の非限定的な例示的実施形態として、これらのゴング３、３’を貴金属、例えばグレー・ゴールドで作製することが可能である。ゴング３、３’は、好ましくは、長方形断面を有する条片の形態で作製する。ゴング３、３’は、ゴング支持体２と共に一体に形成することができる。
【００５１】
第１のゴング３は、２５ｍｍから３５ｍｍの間、例えば約３０．１ｍｍを含む長さの直線又は線状部３ａ、及び１５ｍｍから２０ｍｍの間、例えば約１７．３ｍｍを含む半径円弧形状の曲線部３ｂを有することができる。単に美的観点から修正した部分３ｃは、曲線部３ｂの中央部分内に２つの半径７ｍｍ及び３．７ｍｍで作製する。ゴング３の幅は、０．５ｍｍから１ｍｍの間、好ましくは０．６ｍｍを含むことができ、好ましくは、第１のゴング３の一端からもう一方の端部までと同一である。ゴング３の全体厚さは、その全長に対して同一であってもよく、第１のゴング３では０．２ｍｍから０．４ｍｍの間、例えば０．２５ｍｍを含む。
【００５２】
第１のゴング３について、２つの切欠き５ａ及び５ｂを直線部３ａに作製し、３つの切欠き５ｃ、５ｄ及び５ｅを曲線部３ｂ内に作製する。切欠き５ａから５ｅ又は溝は、第１のゴング３の幅全体にわたって作製し、全て、それぞれ１から２ｍｍの間、好ましくは１．２ｍｍを含む長さを有する。各切欠きは、０．２５ｍｍの厚さを有する第１のゴングの場合、０．１ｍｍから０．２ｍｍの間、好ましくは０．１５ｍｍの同じ深さで作製することができる。
【００５３】
直線部３ａ内に作製した第１の切欠き５ａは、直線部３ａのゴング支持体２への取付け部から３ｍｍから５ｍｍの間、好ましくは３．９ｍｍ離して配設する一方で、第２の切欠き５ｂは、２２ｍｍから２６ｍｍの間、好ましくは２４．１ｍｍ離して配設する。曲線部３ｂ内に作製した第３の切欠き５ｃは、直線部３ａからの垂直視によれば、直線部３ａのゴング支持体２の取付け部から２２ｍｍから２６ｍｍの間、好ましくは２４．７ｍｍ離して配設する。第４の切欠き５ｄは、曲線部３ｂの修正部分３ｃ上に作製し、直線部３ａからの垂直視によれば、直線部３ａのゴング支持体２への取付け部から１４ｍｍから１７ｍｍの間、好ましくは１５．４ｍｍ離して配設する。最後に、第５の切欠き５ｅは、直線部３ａからの垂直視によれば、直線部３ａのゴング支持体２への取付け部から８ｍｍから１２ｍｍの間、好ましくは９．９ｍｍ離して配設する。
【００５４】
切欠き５ａから５ｅの目的は、第１のゴング３内での切欠きの位置に応じて、ゴングの周波数が所望の音符の周波数、例えばＦシャープの周波数に近いようにゴングを調整することである。このことは、周波数の数を部分音と共に増加させることを可能にし、振動するゴングによって生成する音を豊かにする。切欠きの位置は、ゴングの２つの連続する周波数の間の周波数偏差が、音のうなり及び／又は不協和音の生成といったあらゆる危険性を防止するのに十分であるように最適化する。
【００５５】
第１のゴング３のこの形状の結果、１．５ｋＨｚから５ｋＨｚの間を含む２つの周波数は最適化され、上記の表示で述べたようにＦ＃５及びＦ＃６に近づいた。これらの周波数は、時計装着者の耳が音色を区別できるように１ｋＨｚから５ｋＨｚの間で選択する。したがって、少なくとも２つの自然振動周波数は、１ｋＨｚから５ｋＨｚの間の可聴範囲内で適合される。更に、２つの周波数の間の比率は、数Ｎ＋ｄであり、但し、Ｎは２よりも大きいかそれに等しい整数であり、ｄ／Ｎは、振動するゴングが生成する音が調和音であるように、−０．０１から＋０．０１の間に含まれる。
【００５６】
第２のゴング３’について、１つの切欠き５ａ’は直線部３ａ’内に作製し、２つの切欠き５ｂ’及び５ｃ’は曲線部３ｂ’内に作製する。切欠き５ａ’から５ｃ’又は溝は、第２のゴング３’の幅全体にわたって作製する。各切欠きは、０．３ｍｍの厚さを有する第２のゴング３’の場合、０．０５ｍｍから０．２ｍｍの間、好ましくは０．１ｍｍの同じ深さで作製することができる。第２のゴング３’の直線部３ａ’は、８ｍｍから１２ｍｍの間、例えば約１０．３ｍｍを含む長さ、及び１０ｍｍから１３ｍｍの間、例えば約１１．７ｍｍを含む少なくとも１つの半径円弧形状の曲線部３ｂ’を有することができる。好ましくは、曲線部は、いくつかの半径で作製するが、完全な円形ではない。
【００５７】
直線又は線状部３ａ’内に作製した第１の切欠き５ａ’は、直線部３ａ’のゴング支持体２’に取り付けた後、直接配設する。この第１の切欠き５ａ’は、１ｍｍから２ｍｍの間、好ましくは１．６ｍｍの長さを有することができる。曲線部３ｂ’内に作製した第２の切欠き５ｂ’は、直線部に対して、曲線部３ｂ’と直線部３ａ’との接続部から６ｍｍから８ｍｍの間、離して配設する。この第２の切欠き５ｂ’の長さは、１ｍｍから２ｍｍの間であり、好ましくは１．２５ｍｍである。最後に、第３の切欠き５ｃ’は、曲線部３ｂ’の自由端に作製し、０．２ｍｍから１ｍｍの間、例えば０．５ｍｍを含む長さを有する。
【００５８】
第２のゴング３’のこれらの切欠き５ａ’から５ｃ’の長さ、深さ及び位置は、ゴングの適切な調整及び良好な振動応答を保証するように関連するパラメータである。第２のゴング３’のこの構成では、Ｂ５及びＢ６に対応する周波数に近づくように、１．５ｋＨｚから５ｋＨｚの間を含む周波数帯域内で最適化される２つの自然周波数がある。
【００５９】
したがって、第１のアワー・ゴング３と第２のミニッツ・ゴング３’との間で得たメロディ調整は、第４度音程に正確に対応することにも留意されたい。
【００６０】
図５は、時打ち機構を有する時計１の３次元上面図である。時計は、周知の腕時計又は置き時計のムーブメント（図示せず）を含み、ムーブメントは、時計文字盤６の真下に配設する。時間を表示する針７は、上記時計文字盤６の上を回転する。時計は、時計ムーブメントの一部を形成し得る時打ち機構も含む。この時打ち機構は、ゴング支持体２に取り付けた少なくとも１つの第１のゴング３を含み、ゴング支持体２は、通常、時計ムーブメントの地板上に固定されるか、時計ケース１の中板８又はガラス縁又は裏板の内壁と接触させて配置する。ゴングは、一般に、金属若しくは金属ガラスのワイヤ又は条片である。ゴング３は、時計ムーブメントの上に延在するか、又は時計文字盤６に平行に延在する。機構は、下から垂直方向Ｚ、即ち時計板上のゴング又は時計ムーブメントによって画定する平面に直交する方向でゴング３を打つ少なくとも１つの第１のハンマ４も含む。
【００６１】
好ましくは、２つのゴング３、３’は、同じゴング支持体２に取り付けて設けるか、又はそれぞれ２つのゴング支持体２、２’に取り付けて設けることができる。これらの第１のゴング３及び第２のゴング３’はそれぞれ、それぞれのハンマ４、４’によって打つことを意図する。第１のハンマ４は、第１のゴング３を下から垂直方向に、好ましくはゴングの直線部３ａ上のゴング支持体２の近くで打つことを意図する。第１のハンマ４に平行である第２のハンマ４’は、第２のゴング３’を下から垂直方向に、好ましくは、やはりゴングの直線部３ａ’上のゴング支持体２’の近くで打つことを意図する。
【００６２】
時計１の時打ち機構の図５に詳細に示すように、２つのハンマ４、４’は、時計文字盤６に平行な同じ回転軸周りに回転するように構成することができる。これらのハンマ４、４’は、時打ち機構内のハンマの作動に応じて、異なる又は同一の瞬間で各ゴング３、３’を打つことができる。
【００６３】
したがって、２つのゴング３、３’は、２つの直線部３ａ、３ａ’を有することができ、２つの直線部３ａ、３ａ’は、直径方向に延在するか、又は時計の中心、ゴング支持体若しくはゴング支持体２、２’からわずかにずれた方向に延在する。これらのゴング支持体２、２’は、中板８若しくはガラス縁若しくは時計裏蓋の内壁の近く、又はこれらと直接接触して配設する。これらのゴング支持体２、２’は、好ましくは、互いに結合させる。各ゴング３、３’は、曲線部３ｂ、３ｂ’を含み、曲線部３ｂ、３ｂ’は、各直線部３ａ、３ａ’の自由端で始まり、他のゴングの直線部３ａ、３ａ’まで反対方向に延在する。
【００６４】
図５には示さないが、当然、切欠き又は中空又は溝は、各ゴング３、３’の下面に作製して、所望の周波数を調整し、調和音を生成するようにする。これらの切欠き又は中空又は溝は、有利には、見えるゴング３、３’の良好な美的外観を維持するために、時計１のガラス（図示せず）を通して見えない。
【００６５】
当業者は、たった今示した説明から、特許請求の範囲によって定義する本発明の範囲から逸脱することなく、独特又は非定型のゴング、及びそうしたゴングを含有する時打ち時計のいくつかの変形形態を考案することができる。第１のゴング支持体に取り付ける第１のゴング、及び第１のゴング支持体から離れた第２のゴング支持体に取り付ける第２のゴングがあってもよく、両方のゴングは、同じ平面にあっても、異なる平面にあってもよい。切欠き又は中空又は溝は、ゴングの下面又はゴングの側部に作製することができる。
【符号の説明】
【００６６】
１  時計
２  ゴング支持体
３  ゴング
３ａ  直線部
３ｂ  曲線部
４  ハンマ
５ａ〜ｅ  切欠き
５ａ’〜ｃ’  切欠き
８  中板
【図１】
0006293940.tif 000003
【図２】
0006293940.tif 000004
【図３】
0006293940.tif 000005
【図４】
0006293940.tif 000006
【図５】
0006293940.tif 000007